【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
周面に突起を有する導入針を注入管で被覆した液体注入具において、
前記突起は前記導入針の前記注入管と接する場所に設置され、
前記突起は、第１の面と第２の面とを有し、
前記第１の面の傾斜角を前記第２の面の傾斜角より大とし、
前記第１の面を前記導入針の穿刺端側に配置した
ことを特徴とする液体注入具。
【請求項２】
請求項１に記載の液体注入具であって、
前記突起は前記注入管が前記導入針を被覆する範囲に設けられたことを特徴とする液体注入具。
【請求項３】
請求項１または２に記載の液体注入具であって、
前記注入管の外周面には突起が設けられており、
前記注入管の突起は、第３の面と第４の面とを有し、
前記第３の面の傾斜角を前記第４の面の傾斜角より小とし、
前記第３の面を前記注入管の注入口側に配置した
ことを特徴とする液体注入具。
【請求項４】
請求項１から請求項３のいずれかに記載の液体注入具であって、
前記導入針の外周において、前記導入針の長手方向に延びる溝を有することを特徴とする液体注入具。
【請求項５】
請求項１から請求項４のいずれかに記載の液体注入具であって、
前記導入針の材料は前記注入管の材料よりも硬い材料であることを特徴とする液体注入具。
【請求項６】
請求項１から請求項５のいずれかに記載の液体注入具であって、
前記導入針の材料は金属であり、前記注入管の材料は樹脂であることを特徴とする液体注入具。
【請求項７】
請求項１から請求項６のいずれかに記載の液体注入具であって、
前記第１の傾斜角は、少なくとも９０度以上の角度を有することを特徴とする液体注入具。
【請求項８】
請求項１から請求項７のいずれかに記載の液体注入具であって、
前記注入管において当該注入管の注入口側の外周長が、前記注入管の他端側の外周長よりも短いことを特徴とする液体注入具。
【手続補正２】
【補正対象書類名】明細書
【補正対象項目名】発明の名称
【補正方法】変更
【補正の内容】
【発明の名称】液体注入具
【手続補正３】
【補正対象書類名】明細書
【補正対象項目名】０００１
【補正方法】変更
【補正の内容】
【０００１】
本発明は、生体等の液体注入対象に対して液体を注入する液体注入具に関する。
【手続補正４】
【補正対象書類名】明細書
【補正対象項目名】０００５
【補正方法】変更
【補正の内容】
【０００５】
カテーテル等の注入管のみを皮下組織に留置するためには、注入管を皮下組織等に適切に案内する必要がある。また、注入管を案内した後においては、注入管とともに挿入された導入針を注入管から引き抜く必要がある。すなわち、注入管を適切に案内することができ、かつ、注入管から引き抜きやすくした液体注入具が望まれる。
【手続補正５】
【補正対象書類名】明細書
【補正対象項目名】０００６
【補正方法】変更
【補正の内容】
【０００６】
本発明は、このような事情に鑑みてなされたものであり、注入管を挿入対象に適切に案内することができ、かつ、導入針を注入管から引き抜きやすくした液体注入具を提供することを目的とする。
【手続補正６】
【補正対象書類名】明細書
【補正対象項目名】０００７
【補正方法】変更
【補正の内容】
【０００７】
上記目的を達成するための主たる発明は、周面に突起を有する導入針を注入管で被覆した液体注入具において、前記突起は前記導入針の前記注入管と接する場所に設置され、前記突起は、第１の面と第２の面とを有し、前記第１の面の傾斜角を前記第２の面の傾斜角より大とし、前記第１の面を前記導入針の穿刺端側に配置したことを特徴とする液体注入具である。
【手続補正７】
【補正対象書類名】明細書
【補正対象項目名】００１０
【補正方法】変更
【補正の内容】
【００１０】
本明細書及び添付図面の記載により、少なくとも、以下の事項が明らかとなる。すなわち、周面に突起を有する導入針を注入管で被覆した液体注入具において、前記突起は前記導入針の前記注入管と接する場所に設置され、前記突起は、第１の面と第２の面とを有し、前記第１の面の傾斜角を前記第２の面の傾斜角より大とし、前記第１の面を前記導入針の穿刺端側に配置したことを特徴とする液体注入具である。
このようにすることで、導入針の突起における第１の面の傾斜角を第２の面の傾斜角よりも大きくしているので、突起の第１の面が注入管の内周面に掛かり、導入針を皮下組織等に差し込むと同時に注入管を皮下組織内に適切に案内することができる。また、導入針の突起における第２の面の傾斜角は第１の面の傾斜角よりも小さくなるので、導入針を引き抜くときの注入管に対する摩擦力を小さくすることができる。そして、導入針を注入管から引き抜きやすくすることができる。
【手続補正８】
【補正対象書類名】明細書
【補正対象項目名】００１１
【補正方法】変更
【補正の内容】
【００１１】
かかる液体注入具であって、前記突起は前記注入管が前記導入針を被覆する範囲に設けられることが望ましい。
このようにすることで、導入針において皮下組織等に接触する部分については突起を設けずに、皮下組織等に対して滑らかに導入針を挿入することができる。
【手続補正９】
【補正対象書類名】明細書
【補正対象項目名】００１２
【補正方法】変更
【補正の内容】
【００１２】
かかる液体注入具であって、前記注入管の外周面には突起が設けられており、前記注入管の突起は、第３の面と第４の面とを有し、前記第３の面の傾斜角を前記第４の面の傾斜角より小とし、前記第３の面を前記注入管の注入口側に配置することが望ましい。
このようにすることで、導入針を覆う注入管の皮下組織等に対する挿入方向の摩擦力を小さくすることができるので、滑らかに注入管を皮下組織等に挿入することができる。また、注入管の皮下組織等に対する引き抜き方向の摩擦力を大きくすることができるので、注入管を皮下組織等から抜けにくくすることができる。また、注入管を皮下組織等から引き抜く際には、既に、導入針は注入管内から引き抜かれている。よって、注入管の有する弾性力により注入管自体がその内側に変形することができるので、外周面に設けられた突起にかかわらず、生体に負担をかけずに、注入管を抜くこともできる。
【手続補正１０】
【補正対象書類名】明細書
【補正対象項目名】００１３
【補正方法】変更
【補正の内容】
【００１３】
かかる液体注入具であって、前記導入針の外周において、前記導入針の長手方向に延びる溝を有することが望ましい。
このようにすることで、注入管に接触する導入針の接触面積を小さくして、注入管に対する導入針の摩擦力をより小さくすることができる。そして、注入管から導入針をより引き抜きやすくすることができる。
【手続補正１１】
【補正対象書類名】明細書
【補正対象項目名】００１４
【補正方法】変更
【補正の内容】
【００１４】
かかる液体注入具であって、前記導入針の材料は前記注入管の材料よりも硬い材料であることが望ましい。
このようにすることで、硬い導入針を用いて注入管を皮下組織内に案内することができる。
【手続補正１２】
【補正対象書類名】明細書
【補正対象項目名】００１５
【補正方法】変更
【補正の内容】
【００１５】
かかる液体注入具であって、前記導入針の材料は金属であり、前記注入管の材料は樹脂であることが望ましい。
このようにすることによっても、硬い導入針を用いて注入管を皮下組織内に案内することができる。
【手続補正１３】
【補正対象書類名】明細書
【補正対象項目名】００１６
【補正方法】変更
【補正の内容】
【００１６】
かかる液体注入具であって、前記第１の面の傾斜角は、少なくとも９０度以上の角度を有することが望ましい。
このようにすることで、導入針の突起が注入管の内面に掛かりやすくなるため、導入針の突起が注入管の内面から適切に支持して、注入管を皮下組織等に挿入することができる。
【手続補正１４】
【補正対象書類名】明細書
【補正対象項目名】００１７
【補正方法】変更
【補正の内容】
【００１７】
かかる液体注入具であって、前記注入管において当該注入管の注入口側の外周長が、前記注入管の他端側の外周長よりも短いことが望ましい。
このようにすることで、注入管の注入口側を中央よりも細いテーパー状にすることができるので、注入管を皮下組織等に穿刺しやすくすることができる。
【手続補正１５】
【補正対象書類名】明細書
【補正対象項目名】００１８
【補正方法】変更
【補正の内容】
【００１８】
＝＝＝第１実施形態＝＝＝
図１は、液体輸送装置１の全体斜視図である。図２は、液体輸送装置１の分解図である。これらの図に示すように、液体輸送装置１（液体注入具に相当）の貼着される側（生体側）を「下」とし、逆側を「上」として説明することがある。
【手続補正１６】
【補正対象書類名】明細書
【補正対象項目名】００２４
【補正方法】変更
【補正の内容】
【００２４】
フィンガー２２は、チューブ２１を閉塞させるための部材である。図５に示されるように、カートリッジ２０はフィンガー２２を複数本有する。複数のフィンガー２２は、カム１１の回転中心から放射状に等間隔で配置されている。また、複数のフィンガー２２は、カム１１とチューブ２１との間に配置されている。
【手続補正１７】
【補正対象書類名】明細書
【補正対象項目名】００３７
【補正方法】変更
【補正の内容】
【００３７】
一方、ソフトニードル３２の外周面には、複数のソフトニードル側突起３２ａが設けられている。複数のソフトニードル側突起３２ａは、ソフトニードル３２の長手方向に整列して並ぶ。それぞれのソフトニードル側突起３２ａは、ソフトニードル３２の外周に傘状に形成される。
【手続補正１８】
【補正対象書類名】明細書
【補正対象項目名】００３８
【補正方法】変更
【補正の内容】
【００３８】
それぞれのソフトニードル側突起３２ａは、ソフトニードル側第１面３２ａ１（第３の面に相当）と、ソフトニードル側第２面３２ａ２（第４の面に相当）を備える。ソフトニードル側第１面３２ａ１は、ソフトニードル側突起３２ａにおいてソフトニードル３２の先端側に配置され、ソフトニードル側第２面３２ａ２は、ソフトニードル３２においてパッチ３０側に配置される。ソフトニードル側第１面３２ａと、ソフトニードル側第２面３２ａ２は、後述するように略矩形形状を有する。
【手続補正１９】
【補正対象書類名】明細書
【補正対象項目名】００４４
【補正方法】変更
【補正の内容】
【００４４】
図７に示されるように、導入針側突起３１ａの導入針側第１面３１ａ１は略矩形形状を有している。これにあわせるように、導入針側第２面３１ａ２も略矩形形状を有するようにすることができる。また、これと同様に、ソフトニードル側突起３２ａのソフトニードル側第１面３２ａ１も略矩形形状を有している。そして、これにあわせるように、ソフトニードル側第２面３２ａ２も略矩形形状を有するようにすることができる。
【手続補正２０】
【補正対象書類名】明細書
【補正対象項目名】００５０
【補正方法】変更
【補正の内容】
【００５０】
その後、導入針フォルダ３６が引き抜かれる。導入針３１の後端は、導入針フォルダ３６に固定されているため、導入針フォルダ３６が引き抜かれると、これにあわせて導入針３１が皮下組織ＳＴから引き抜かれることになる。そして、図１０に示されるように、ソフトニードル３２のみが、皮下組織ＳＴ内に留置される。
【手続補正２１】
【補正対象書類名】明細書
【補正対象項目名】００５５
【補正方法】変更
【補正の内容】
【００５５】
＝＝＝第２実施形態＝＝＝
図１１は、第２実施形態における図６のＡ−Ａ断面図である。図１１には、第２実施形態における導入針３１とソフトニードル３２が示されている。第２実施形態において第１実施形態と異なるのは、導入針３１の外周面において、複数の導入針側突起３１ａが所定の間隔をおいて配置され、導入針側突起３１ａ間に導入針３１の長手方向に延びる溝３１ｂを形成している点である。